(57)【要約】【課題】意匠性の高い水栓装置を提供する。【解決手段】水栓装置Ａは、給水機能を有する水栓本体２６と、左右方向に延びた形態であり、水栓本体２６の外面の左右方向全領域に亘って設けられたアクセントライン３４とを備えており、アクセントライン３４の左右方向における少なくとも一方の端部には、給水操作用の標示部３６が設けられている。【選択図】図１
2020026610.tif 000002
【特許請求の範囲】
【請求項１】
給水機能を有する水栓本体と、
左右方向に延びた形態であり、前記水栓本体の外面の左右方向全領域に亘って設けられたアクセントラインとを備え、
前記アクセントラインの左右方向における少なくとも一方の端部に、給水操作用の標示部が設けられていることを特徴とする水栓装置。
【請求項２】
左右方向に延びた形態であり、前記水栓本体に対し左右方向の軸線を中心として揺動可能に支持された給水操作用のアーム状ハンドルを備えていることを特徴とする請求項１記載の水栓装置。
【請求項３】
前記アクセントラインが、前記水栓本体とは別体の部品であることを特徴とする請求項１又は請求項２記載の水栓装置。
【請求項４】
前記水栓本体の左右両外側面のうち前記標示部が配される側の外側面に、左右方向の軸線を中心として回動可能であり、円柱形又は円筒形をなす給水操作用のハンドルが設けられ、
前記標示部の標示幅が、前記アクセントラインにおける前記標示部以外の領域よりも幅広であることを特徴とする請求項１ないし請求項３のいずれか１項に記載の水栓装置。 
【発明の詳細な説明】
【技術分野】
【０００１】
本発明は、水栓装置に関する。
【背景技術】
【０００２】
特許文献１には、温度調節弁と流路切換弁とを備えた機能体と、機能体を包囲するカバーとを備えた給水栓が開示されている。機能体の左右両端からは一対の操作軸が同軸状に突出しており、一方の操作軸には温度調節用の操作ハンドルが取り付けられ、他方の操作軸には流路切換用の操作ハンドルが取り付けられている。
【先行技術文献】
【特許文献】
【０００３】
【特許文献１】特開２０００−３５２０８７号公報
【発明の概要】
【発明が解決しようとする課題】
【０００４】
この種の給水栓では、カバーの外面のうち一方の操作ハンドルに近い位置には、給水温度調節時の操作方向を示すためにＨとＣの文字や青と赤の図形等の標示部が設けられる。また、カバーの外面のうち他方の操作ハンドルに近い位置には、止水位置とシャワーとカランの切換時の操作方向を示すために図形等の標示部が設けられる。しかし、従来のものは、カバーの左右両端部に２つの標示部が独立して配置されているため、意匠性が低い。
【０００５】
本発明は、上記従来の実情に鑑みてなされたものであって、意匠性の高い水栓装置を提供することを解決すべき課題としている。
【課題を解決するための手段】
【０００６】
本発明の水栓装置は、
給水機能を有する水栓本体と、
左右方向に延びた形態であり、前記水栓本体の外面の左右方向全領域に亘って設けられたアクセントラインとを備え、
前記アクセントラインの左右方向における少なくとも一方の端部に、給水操作用の標示部が設けられていることを特徴とする。
【発明の効果】
【０００７】
アクセントラインは、水栓本体の外面の左右方向全領域に亘って延びているので、シンプルなデザインとなっている。しかも、アクセントラインは、給水操作用の標示部としての機能を備えているので、アクセントラインと標示部を別々に配置した場合に比べると、水栓本体の外面がシンプルになる。したがって、本願発明によれば、水栓本体の意匠性に優れている。
【０００８】
尚、本発明において、給水機能は、給水温度を調節するための温度調節機能と、給水形態を止水、シャワー及びカランのいずれかに切り換えるための流路切換機能とを含む。また、給水操作とは、給水温度を調節するための温度調節操作と、給水形態を止水、シャワー及びカランのいずれかに切り換えるための流路切換操作とを含む。
【図面の簡単な説明】
【０００９】
【図１】実施例１の水栓装置の斜視図
【図２】水栓装置の分解斜視図
【図３】アクセントラインの取付け構造をあらわす部分拡大側断面図
【図４】流路切換操作を行ったときのアーム状ハンドルの揺動形態をあらわす側面図
【図５】アーム状ハンドルが止水位置にある状態をあらわす平面図
【図６】アーム状ハンドルがシャワー位置へ揺動した状態をあらわす平面図
【図７】実施例２の水栓装置におけるアクセントラインの取付け構造をあらわす部分拡大側断面図
【発明を実施するための形態】
【００１０】
本発明の水栓装置は、左右方向に延びた形態であり、前記水栓本体に対し左右方向の軸線を中心として揺動可能に支持された給水操作用のアーム状ハンドルを備えていてもよい。この構成によれば、アーム状ハンドルは、アクセントラインに対して接近又は離間するように揺動するので、アーム状ハンドルの操作量を把握し易い。また、アーム状ハンドルとアクセントラインは概ね平行をなすので、デザイン的な統一感がある。
【００１１】
本発明の水栓装置は、前記アクセントラインが、前記水栓本体とは別体の部品であってもよい。この構成によれば、アクセントラインの色や質感等を水栓本体とは異なるものとすることにより、デザイン上の自由度が高くなる。
【００１２】
本発明の水栓装置は、前記水栓本体の左右両外側面のうち前記標示部が配される側の外側面に、左右方向の軸線を中心として回動可能であり、円柱形又は円筒形をなす給水操作用のハンドルが設けられ、前記標示部の標示幅が、前記アクセントラインにおける前記標示部以外の領域よりも幅広であってもよい。ハンドルは、円柱形又は円筒形をなすため回動操作しても回動変位を目視確認し難いのであるが、ハンドルに近い位置に配されている標示部の標示幅を広くすることで、ハンドルを注視し易くなり、ひいては、ハンドルの回動状態を目視確認し易くなる。
【００１３】
＜実施例１＞
以下、本発明を具体化した実施例１を図１〜図６を参照して説明する。尚、以下の説明において、前後の方向については、図３、４における左方、及び図５，６における下方を前方と定義する。上下の方向については、図１〜４にあらわれる向きを、そのまま上方、下方と定義する。左右の方向については、図５，６にあらわれる向きを、そのまま左方、右方と定義する。
【００１４】
本実施例１の水栓装置Ａは、図２に示すように、給水ユニット１０と、アーム状ハンドル１７と、ハウジング２２と、アクセントライン３４とを備えて構成されている。給水ユニット１０は、給水用接続部１２と給湯用接続部１３を有するボディ１１と、ボディ１１内に収容された温調用バルブユニット（図示省略）と、ボディ１１内に収容された流路切換用バルブユニット（図示省略）とを備えた周知構造のものである。給水ユニット１０は、給水温度を調節するための温度調節機能と、給水形態を止水、シャワー及びカラン（水栓装置Ａから洗い場や浴槽へ給水するための下向きの吐水口）のいずれかに切り換えるための流路切換機能とを含む給水機能を備えている。
【００１５】
給水ユニット１０の左端部には、給水ユニット１０の左右方向の軸線Ｐを中心として回動操作が可能な円柱形又は円筒形をなす温調ハンドル１４（請求項に記載のハンドル）が設けられている。温調ハンドル１４は、給水温度を調節する温度調節操作（給水操作）を行うための手段である。温調ハンドル１４は、温調用バルブユニットの弁体（図示省略）に一体回転し得るように取り付けられている。温調ハンドル１４の外周には、高温側への温度調節用ハンドル１４の回動操作の規制を解除するための突起状の押しボタン１５と、温調ハンドル１４を回動するときに指を引っ掛けるための突起状の指掛け部１６とが設けられている。
【００１６】
アーム状ハンドル１７は、全体として左右方向に延びた形状をなす。アーム状ハンドル１７は、左右方向に長く延びた操作部１８と、操作部１８の右端部に取り付けられた円形の板状支持部１９と、板状支持部１９から左方へ同軸状に突出した連結部２０と、操作部１８の左端部に形成されたリング状取付部２１とを有する。アーム状ハンドル１７は、給水形態を止水、シャワー及びカランのいずれかに切り換える流路切換操作（給水操作）を行うための手段である。連結部２０は、流路切換用バルブユニットの弁体（図示省略）に一体回転し得るように取り付けられている。リング状取付部２１は、ボディ１１の左端部に回転可能に外嵌されている。アーム状ハンドル１７は、給水ユニット１０の軸線Ｐを中心として揺動可能となっている。操作部１８は軸線Ｐに対して偏心した位置に配されている。
【００１７】
ハウジング２２は、アッパカバー２３とアンダーカバー２４とリヤカバー２５とを備えて構成され、給水ユニット１０に取り付けられている。給水ユニット１０にハウジング２２を取り付けた状態では、給水ユニット１０の上下両面と左右両側面と前面がハウジング２２で覆われている。組付け状態の給水ユニット１０とハウジング２２は、水栓本体２６を構成している。水栓本体２６は、給水機能と化粧部材としての機能とを兼ね備えるものである。
【００１８】
アッパカバー２３は、合成樹脂製であり、上板部２７と、左右一対の側板部２８と、前板部２９とを有する単一部品である。上板部２７は、平面視形状が方形をなす平板状の部位であり、全体として前方に向かって低くなるように傾斜している。左右一対の側板部２８は、上板部２７の左右両側縁から下方へ略直角に延出した形態である。前板部２９は、上板部２７の前端縁から斜め下前方へ弧状に延出した形態であり、前板部２９の側面視形状は円弧状をなしている。前板部２９の上端部は、上板部２７の前端部に対して接線状に滑らかに連続している。
【００１９】
図１，５に示すように、アッパカバー２３の上面（外面）には、左右方向に細長い１本の取付溝３０が形成されている。取付溝３０は、アッパカバー２３の左右方向における全幅に亘って連続しており、取付溝３０の左右両端はアッパカバー２３の外側面に開放されている。取付溝３０は、前後方向においては、上板部２７の前端部に配されている。取付溝３０は第１溝部３１と、第２溝部３２と、第３溝部３３とから構成されている。
【００２０】
第１溝部３１は、取付溝３０の右端位置から、取付溝３０の左端より少し右方の位置に至る領域、即ち取付溝３０の大部分の領域を構成する。したがって、第１溝部３１は、第２溝部３２及び第３溝部３３より長尺である。第１溝部３１の溝幅（前後方向の幅寸法）は、第１溝部３１の全長に亘って一定である。
【００２１】
第２溝部３２は、取付溝３０の左端部を構成する。第２溝部３２の溝幅（前後方向の寸法）は、第２溝部３２の全長に亘って一定であり、且つ第１溝部３１より幅広である。第３溝部３３は、第１溝部３１の左端と第２溝部３２の右端とを連通させている。第２溝部３２の溝幅は、右端が最小であり、左端に向かって次第に大きくなる。第３溝部３３の平面視形状は、不等脚台形である。
【００２２】
取付溝３０の前後両溝縁部のうち前側の溝縁部は、取付溝３０の全長に亘り左右方向に一直線状に延びた形態である。これに対し、後側の溝縁部は、第１溝部３１と第２溝部３２に関しては、左右方向に直線状に延びた形態である。これに対し、後側の溝縁部のうち第３溝部３３を構成する領域は、第１溝部３１及び第２溝部３２に対して斜めをなしている。
【００２３】
取付溝３０には、左右方向に細長く延びた形状のアクセントライン３４が収容されている。アクセントライン３４は、アッパカバー２３とは別体の単一部品であり、透明な材料又は透光性を有する材料からなる。アクセントライン３４は、無色又は薄く着色された透明又は透光性を有する合成樹脂材料からなる。アクセントライン３４の材料はアッパカバー２３の材料と異なるものである。
【００２４】
アクセントライン３４は、長尺部３５と、標示部３６と、繋ぎ部３７とから構成されている。長尺部３５は第１溝部３１に収容され、標示部３６は第２溝部３２に収容され、繋ぎ部３７は第３溝部３３に収容される。アクセントライン３４は、取付溝３０内に大きな隙間なく嵌合される。また、アクセントライン３４を取付溝３０に固定する手段として、取付溝３０の溝底面とアクセントライン３４の下面とを両面テープ３８で接着している。尚、アクセントライン３４を取付溝３０に固定する手段としては、接着剤を塗布してもよい。
【００２５】
アクセントライン３４を取付溝３０に収容した状態では、アクセントライン３４の上面（外面）は、アッパカバー２３の上面（外面）に対し段差なく、面一状に連続する。また、アクセントライン３４（長尺部３５）の右端面は、上板部２７の右側面及び右側の側板部２８の外側面に対し、段差なく面一状に連続する。アクセントライン３４（標示部３６）の左端面は、上板部２７の左側面及び左側の側板部２８の外側面に対し、段差なく面一状に連続する。また、前後方向において、アクセントライン３４は、アーム状ハンドル１７の揺動の支点となる給水ユニット１０の軸線Ｐとほぼ同じ位置にある。
【００２６】
図５に示すように、アッパカバー２３の外面の左端部には、給水温度を調節する際の操作性を高める手段として温度調節用標示４０が配されている。温度調節用標示４０は、温度標示４１と前後一対の温調操作用標示４２とから構成されている。温度標示４１は、標示部３６の底面に４０℃の文字を刻印したものであり、アクセントライン３４の上方から目視可能となっている。この温度標示４１は給水温度を示すものである。前後方向（温調ハンドル１４の操作方向）において温調ハンドル１４の押しボタン１５が温度標示４１と同じ位置にあるときに、給水温度が４０℃に設定される。
【００２７】
一対の温調操作用標示４２は、給水温度を調節する際の温調ハンドル１４の操作方向を示すものであり、４０℃の温度標示４１を挟んで奥側と手前側とに分かれて配置されている。温度を高くするときには温調ハンドル１４を奥側へ回動させるので、温度標示４１の奥側（後方）には「Ｈ」の文字が表示されている。また、温度を低くするときには温調ハンドル１４を手前側へ回動させるので、温度標示４１の手前側（前方）には「Ｃ」の文字が表示されている。
【００２８】
アッパカバー２３の外面の右端部には、給水形態を止水、シャワー及びカランのいずれかに切り換える際の操作性を高める手段として、流路切換用標示４３が配されている。流路切換用標示４３は、止水標示４４と、前後一対の切換操作用標示４５とから構成されている。止水標示４４は、アクセントライン３４の右端部によって構成されている。一対の切換操作用標示４５は、シャワーとカランを切り換える際のアーム状ハンドル１７の操作方向を示すものであり、止水標示４４を挟んで奥側と手前側とに分かれて配置されている。
【００２９】
シャワーから給水する際には、アーム状ハンドル１７を上方へ揺動させるのに伴って板状支持部１９が奥側へ回動するので、止水標示４４の奥側（後方）には、シャワーを示す図柄が表示されている。カランから給水する際には、アーム状ハンドル１７を下方へ揺動させるのに伴って板状支持部１９が手前側へ回動するので、止水標示４４の手前側（前方）には、カランを示す図柄が表示されている。
【００３０】
流路切換用の操作手段であるアーム状ハンドル１７の操作部１８は、アクセントライン３４の前方に配され、アクセントライン３４とほぼ平行をなしている。止水状態では、操作部１８が、アーム状ハンドル１７の揺動の支点となる給水ユニット１０の軸線Ｐとほぼ同じ高さで、軸線Ｐよりも前方の位置（アッパカバー２３の前端より前方）に配置される。アーム状ハンドル１７の揺動過程において、操作部１８とアクセントライン３４の前後方向の間隔は、止水位置において最大である。
【００３１】
シャワーからの給水量を増大させる際には、アーム状ハンドル１７の上方への揺動角度を大きくしていく。アーム状ハンドル１７の揺動角度が大きくなるのに伴い、平面視において操作部１８がアクセントライン３４に対し前方から接近する。したがって、アクセントライン３４に対する操作部１８の位置関係を目視することで、シャワーの流量を把握し易くなっている。
【００３２】
本実施例１の水栓装置Ａは、給水機能を有する水栓本体２６と、左右方向に延びた形態であり、水栓本体２６の外面の左右方向全領域に亘って設けられたアクセントライン３４とを備えている。アクセントライン３４の左右方向における少なくとも一方の端部（左端部）には、給水操作用の標示部３６が設けられている。アクセントライン３４は、水栓本体２６の外面の左右方向全領域に亘って延びているので、シンプルなデザインとなっている。しかも、アクセントライン３４は、給水操作用の標示部３６としての機能を備えているので、アクセントライン３４と標示部３６を別々に配置した場合に比べると、水栓本体２６の外面がシンプルになる。したがって、本実施例１の水栓装置Ａは、水栓本体２６の意匠性に優れている。
【００３３】
尚、上記構成における「給水機能」は、給水温度を調節するための温度調節機能と、給水形態を止水、シャワー及びカランのいずれかに切り換えるための流路切換機能とを含んでいる。また、給水操作とは、給水温度を調節するための温度調節操作と、給水形態を止水、シャワー及びカランのいずれかに切り換えるための流路切換操作とを含んでいる。
【００３４】
また、水栓装置Ａは、左右方向に延びた形態であり、水栓本体２６に対し左右方向の軸線Ｐを中心として揺動可能に支持された給水操作用のアーム状ハンドル１７を備えている。この構成によれば、アーム状ハンドル１７は、アクセントライン３４に対して接近又は離間するように揺動するので、アーム状ハンドル１７の操作量を把握し易い。また、アーム状ハンドル１７とアクセントライン３４は概ね平行をなすので、デザイン的な統一感がある。
【００３５】
また、アクセントライン３４は水栓本体２６とは別体の部品であるから、アクセントライン３４の色や質感等を水栓本体２６とは異なるものとすることにより、デザイン上の自由度が高くなる。
【００３６】
また、水栓本体２６の左右両外側面のうち標示部３６が配される左側の外側面には、左右方向の軸線Ｐを中心として回動可能であり、円柱形又は円筒形をなす給水操作用の温調ハンドル１４が設けられており、標示部３６の標示幅は、アクセントライン３４における標示部３６以外の領域（長尺部３５と繋ぎ部３７）よりも幅広である。温調ハンドル１４は、円柱形又は円筒形をなすため、回動操作しても回動変位を目視確認し難いのであるが、温調ハンドル１４に近い位置に配されている標示部３６の標示幅を広くすることで、温調ハンドル１４を注視し易くなる。これにより、温調ハンドル１４の回動状態を目視確認し易くなる。
【００３７】
＜実施例２＞
次に、本発明を具体化した実施例２を図７を参照して説明する。本実施例２の水栓装置Ｂは、水栓本体５０を構成するハウジング５１のアッパカバー５２と、アクセントライン６３を、上記実施例１とは異なる構成としたものである。その他の構成については上記実施例１と同じであるため、同じ構成については、同一符号を付し、構造、作用及び効果の説明は省略する。
【００３８】
上記実施例１のアッパカバー２３が単一部品であったのに対し、本実施例２のアッパカバー５２は、前側部材５３と後側部材５７との２つの部品を前後に合体して構成されている。前側部材５３は、実施例１のアッパカバー２３の前板部２９を構成する形状であり、後側部材５７は、実施例１のアッパカバー２３の上板部２７と左右両側板部２８とを構成する形状である。
【００３９】
前側部材５３の後端面には、前側部材５３の上面部を後方へ突出させた形態の前側抜止めリブ５４と、前側部材５３の下面部を後方へ突出させた形態の前側受け板部５５とが形成されている。前側部材５３の後端部下面には、後方へ突出した形態の前側取付部５６が形成されている。後側部材５７の前端面には、後側部材５７の上面部を前方へ突出させた形態の後側抜止めリブ５８が形成されている。後側部材５７の前端部下面には、前方へ片持ち状に延出した後側受け板部５９が形成されている。後側部材５７の前端部下面のうち後側受け板部５９より後方の位置には、下方へ突出した形態の後側取付部６０が形成されている。
【００４０】
前側部材５３と後側部材５７を合体させると、前側受け板部５５の後端部が、後側部材５７の前端部下面と後側受け板部５９の上面との間の隙間に嵌入し、前側取付部５６の後端面が後側取付部６０の前面に面当たり状態で当接する。この状態で、後側取付部６０に貫通させたビス６１を前側取付部５６内にねじ込むと、前側部材５３と後側部材５７が合体状態に固定される。両部材５３，５７を合体した状態では、前側部材５３の後端面と後側部材５７の前端面と前側受け板部５５とにより、上方へ開放した形態の取付溝６２が構成される。
【００４１】
両部材５３，５７を合体する工程と同時に、アクセントライン６３が取付溝６２内に収容される。取付溝６２に収容されたアクセントライン６３の上面のうち、段差状に低くなった後縁部と前縁部には、前側抜止めリブ５４と後側抜止めリブ５８が上から当接する。この両リブ５４，５８に当接により、アクセントライン６３は、取付溝６２からの離脱を規制され、水栓本体５０に取り付けられた状態に保持される。
【００４２】
＜他の実施例＞
本発明は上記記述及び図面によって説明した実施例に限定されるものではなく、例えば次のような実施例も本発明の技術的範囲に含まれる。
（１）上記実施例では、アクセントラインが水栓本体の左右方向全領域に亘って連続した形態であるが、アクセントラインは、複数の短いラインを破線状（間欠的）に直列配置した形態であってもよい。
（２）上記実施例では、アクセントラインを１本のみとしたが、複数本のアクセントラインを平行して配置してもよい。
（３）上記実施例では、アクセントラインは概ね直線状をなしているが、アクセントラインは、全体として左右方向に延びた形態であれば、振幅の小さい波形や高低差の小さい鋸歯形であってもよい。
（４）上記実施例では、アクセントラインが透明な材料からなるが、アクセントラインは半透明な材料や透光性を有しない材料であってもよい。
（５）上記実施例では、アクセントラインを水栓本体の上面に設けているが、アクセントラインは水栓本体の前面に設けてもよい。
（６）上記実施例では、標示部の標示幅をアクセントラインにおける他の領域より広くしたが、アクセントラインの前後方向の幅寸法は、アクセントラインの全長に亘って一定寸法であってもよい。
（７）上記実施例では、アクセントラインの標示部は４０℃の温度を示すものであるが、アクセントラインの標示部は、温度調節時のハンドルの操作方向を示すＨやＣの文字や、青色と赤色の図形等であってもよい。この場合、アクセントラインを２本平行して設け、一方のアクセントラインに高温用の標示部を設け、他方のアクセントラインに低温用の標示部を設けもよい。
（８）上記実施例では、アクセントラインを水栓本体とは別体の部品としたが、アクセントラインは、水栓本体の外面に塗装を施した形態や、水栓本体の外面形状をリブ状に変更した形態であってもよい。
（９）上記実施例では、給水操作手段として、水栓本体の左右方向全領域に亘り左右方向に延びた形態のアーム状ハンドルと、揺動軸と同心状の円柱形又は円筒形をなすハンドル（温調ハンドル）とを備えているが、給水操作手段は、円柱形又は円筒形をなす２つのハンドルだけで構成されていてもよい。
（１０）上記実施例では、水栓本体が給水ユニットとハウジングとから構成され、カバーにアクセントラインが取り付けられているが、水栓本体は給水ユニットだけで構成されたものであってもよい。
【符号の説明】
【００４３】
Ａ，Ｂ…水栓装置
Ｐ…軸線
１４…温調ハンドル（ハンドル）
１７…アーム状ハンドル
２６，５０…水栓本体
３４，６３…アクセントライン
３６…標示部 
【図１】
2020026610.tif 000003
【図２】
2020026610.tif 000004
【図３】
2020026610.tif 000005
【図４】
2020026610.tif 000006
【図５】
2020026610.tif 000007
【図６】
2020026610.tif 000008
【図７】
2020026610.tif 000009